(57)【特許請求の範囲】
【請求項１】
糸掛け用の１以上の突起およびこの突起を支持する基部を備えている複数のモチーフ作成具と、
これら複数のモチーフ作成具のうちの２以上を同時に装着できるように上記各モチーフ作成具を着脱自在な支持台と、
を具備しており、
上記支持台には、上記各モチーフ作成具の基部または基部の裏面に設けられた凸部を嵌入させるための複数の凹部が設けられていることを特徴とする、モチーフ作成セット。
【請求項２】
糸掛け用の１以上の突起およびこの突起を支持する基部を備えている複数のモチーフ作成具と、
これら複数のモチーフ作成具のうちの２以上を同時に装着できるように上記各モチーフ作成具を着脱自在な支持台と、
を具備しており、
上記複数のモチーフ作成具の少なくとも１つは、糸掛け用の突起の先端を上記支持台に向けた姿勢で上記支持台に装着可能であることを特徴とする、モチーフ作成セット。
【請求項３】
上記支持台には、上記複数のモチーフ作成具の少なくとも１つの糸掛け用の突起が挿入可能な凹部が形成されている、請求項２に記載のモチーフ作成セット。
【請求項４】
上記複数のモチーフ作成具の少なくとも１つは、基部が枠状とされており、かつこのモチーフ作成具の枠状の基部の内側にはこれとは別のモチーフ作成具の基部が配置されるようにして、これら複数のモチーフ作成具が上記支持台に装着可能とされている、請求項１ないし３のいずれかに記載のモチーフ作成セット。
【請求項５】
上記支持台の略中央部には、貫通穴が設けられている、請求項１ないし４のいずれかに記載のモチーフ作成セット。
【請求項６】
上記支持台に装着可能なカバー体をさらに具備しており、かつこのカバー体を上記支持台に装着したときには、これらの内部に上記複数のモチーフ作成具が収容可能とされている、請求項１ないし５のいずれかに記載のモチーフ作成セット。
【発明の詳細な説明】
【０００１】
【発明の属する技術分野】
本願発明は、毛糸などの適当な糸によって長方形や花形などのモチーフを作成するのに用いられるモチーフ作成セットに関する。本明細書でいう「モチーフ」とは、糸により作成されるものであって、かつモチーフ編み（motif joining)などの手芸を行なう場合の基本単位として利用され得る小片を意味している。もちろん、このモチーフは、他のモチーフと繋がれることなく、一定の形態を有する編物あるいは織物として単体で使用される場合もある。
【０００２】
【従来の技術】
従来、たとえば図１６に示すようなモチーフ作成具Ｂがある。このモチーフ作成具Ｂは、リング状の基部９０の上面部に、糸掛け用の複数の突起９１が設けられたものである。このモチーフ作成具Ｂにおいては、たとえば図１７（ａ）に示すように、糸Ｙ１を適当な手順で複数の突起９１に掛け廻すことにより、この糸Ｙ１によってたとえば花形またはそれに近い形状をつくり出すことができる。次いで、同図（ｂ）に示すように、上記形状にされた糸Ｙ１の中央部付近をかがり糸Ｙ２を用いてかがる。このようにすれば、花形のモチーフを作成することができる。
【０００３】
【発明が解決しようとする課題】
しかしながら、従来においては、モチーフを作成する場合に、モチーフ作成具Ｂを単独で用いるに過ぎなかった。このため、従来においては、作成されるモチーフのバリエーションが少なく、面白味に欠ける場合があった。従来において、モチーフのバリエーションを多くするためには、形状やサイズが異なる多くの種類のモチーフ作成具を準備しておく必要があるが、この場合であっても、個々のモチーフ作成具を利用して作成可能なモチーフのバリエーションは少ないため、やはり面白味に欠ける。また、多くのモチーフ作成具を準備すると、これらが嵩張ってしまい、それらの収容などの取り扱いに際しても苦慮するという不具合がある。
【０００４】
本願発明は、このような事情のもとで考え出されたものであって、モチーフのバリエーションを合理的に、かつ簡単に多くすることができ、しかもその取り扱い性にも優れるモチーフ作成セットを提供することをその課題としている。
【０００５】
【発明の開示】
上記の課題を解決するため、本願発明では、次の技術的手段を講じている。
【０００６】
本願発明によって提供されるモチーフ作成セットは、糸掛け用の１以上の突起およびこの突起を支持する基部を備えている複数のモチーフ作成具と、これら複数のモチーフ作成具のうちの２以上を同時に装着できるように上記各モチーフ作成具を着脱自在な支持台と、を具備しており、上記支持台には、上記各モチーフ作成具の基部または基部の裏面に設けられた凸部を嵌入させるための複数の凹部が設けられていることを特徴としている。
【０００７】
このような構成によれば、複数のモチーフ作成具のそれぞれを単独で利用して種々の形態のモチーフを作成することができることは勿論のこと、複数のモチーフ作成具を支持台に同時に装着することによって、それら複数のモチーフ作成具を組み合わせて使用することができるために、各モチーフ作成具を単独で使用するだけでは得られないようなモチーフを新たに創出し、モチーフのバリエーションを多様にすることが可能となる。したがって、従来よりもモチーフ作成の面白味が増す。また、複数のモチーフ作成具を組み合わせて使用する場合には、それら組み合わせ対象となる複数のモチーフ作成具を、互いに共通する１つの支持台に装着すればよいから、その使い勝手も良い。また、各モチーフ作成具の基部または凸部を複数の凹部に嵌入することにより、各モチーフ作成具を支持台に装着することが可能となり、支持台に対する各モチーフ作成具の装着が容易化される。
【０００８】
本願発明の好ましい実施の形態においては、上記複数のモチーフ作成具の少なくとも１つは、基部が枠状とされており、かつこのモチーフ作成具の枠状の基部の内側にはこれとは別のモチーフ作成具の基部が配置されるようにして、これら複数のモチーフ作成具が上記支持台に装着可能とされている。
【０００９】
このような構成によれば、複数のモチーフ作成具を支持台に対してスペース効率良く、かつ適切に装着することができる。また、上記構成によれば、１つのモチーフ作成具の糸掛け用の突起の周囲を他の１つのモチーフ作成具の糸掛け用の突起が取り囲むようにセッティングすることが可能となり、それら糸掛け用の突起に糸を一連に掛け廻すのに好適となる。
【００１２】
本願発明の他の好ましい実施の形態においては、上記支持台の略中央部には、貫通穴が設けられている。
【００１３】
このような構成によれば、モチーフ作成具の糸掛け用の突起に掛け廻された糸をかがり糸を利用してかがるときに、そのかがり糸を支持台の貫通穴に通すことによって支持台の表面側と裏面側とに簡単に行き来させることが可能となる。したがって、糸のかがり作業が容易化される。
【００１４】
本願発明の他の好ましい実施の形態においては、上記複数のモチーフ作成具の少なくとも１つは、糸掛け用の突起の先端を上記支持台に向けた姿勢で上記支持台に装着可能である。
【００１５】
このような構成によれば、モチーフ作成具の糸掛け用の突起に掛け廻された糸をかがり糸を利用してかがるときなどにおいて、上記糸掛け用の突起に掛け廻された糸が上記糸掛け用の突起から不用意に外れないようにすることができる。したがって、モチーフを作成するときの作業性を一層良くすることができる。
【００１６】
本願発明の他の好ましい実施の形態においては、上記支持台には、上記複数のモチーフ作成具の少なくとも１つの糸掛け用の突起が挿入可能な凹部が形成されている。
【００１７】
このような構成によれば、モチーフ作成具の糸掛け用の突起を支持台の凹部に嵌入することにより、このモチーフ作成具を支持台に装着することが可能となり、糸掛け用の突起の先端を支持台に向けた姿勢でモチーフ作成具を支持台に装着する作業の容易化を達成することができる。
【００１８】
本願発明の他の好ましい実施の形態においては、上記支持台に装着可能なカバー体をさらに具備しており、かつこのカバー体を上記支持台に装着したときには、これらの内部に上記複数のモチーフ作成具が収容可能とされている。
【００１９】
このような構成によれば、複数のモチーフ作成具を体裁良く一纏めに収容することができ、不使用時の保管などに際しても便利となる。
【００２０】
本願発明のその他の特徴および利点については、以下に行う発明の実施の形態の説明から、より明らかになるであろう。
【００２１】
【発明の実施の形態】
以下、本願発明の好ましい実施の形態について、図面を参照しつつ具体的に説明する。
【００２２】
図１は、本願発明に係るモチーフ作成セットの一実施形態を示している。図２〜図１０は、図１に示すモチーフ作成セットの構成部品を個々に示している。図１１は、図１に示すモチーフ作成セットを一纏めに組み合わせた状態を示している。
【００２３】
図１によく表われているように、本実施形態のモチーフ作成セットＡは、複数のモチーフ作成具１Ａ〜１Ｇと、支持台２と、カバー体３とを具備して構成されている。これらの各構成部品は、いずれも合成樹脂製である。ただし、その材質は限定されるものではない。
【００２４】
モチーフ作成具１Ａ〜１Ｆは、いずれも枠状の基部１０ａ〜１０ｆの表面（上面）に、複数の糸掛け用の突起１１ａ〜１１ｆが一体に設けられた構成を有している。これらをより具体的に説明すると、まず、３つのモチーフ作成具１Ａ〜１Ｃは、図２〜図４によく表われているように、いずれもそれらの基部１０ａ〜１０ｃが円環状であり、かつ複数の突起１１ａ〜１１ｃが等間隔で円周状に並んでいる点において共通している。また、これらのモチーフ作成具１Ａ〜１Ｃは、基部１０ａ〜１０ｃの裏面（下面）にたとえば計４つの凸部１２ａ〜１２ｃが等間隔で設けられている点においても共通している。これらの凸部１２ａ〜１２ｃは、後述するように、モチーフ作成具１Ａ〜１Ｃを支持台２に取り付けるときに利用される。
【００２５】
モチーフ作成具１Ａ〜１Ｃは、基部１０ａ〜１０ｃのサイズが相違しており、基部１０ａの内側には基部１０ｂが配置可能であるとともに、基部１０ｂの内側には基部１０ｃがさらに配置可能となっている。複数の突起１１ａ〜１１ｃについては、たとえば突起１１ａ，１１ｂのそれぞれの総数が同一であるとともに、突起１１ｃの総数が突起１１ａ，１１ｂの総数の１／２とされている。また、突起１１ａ，１１ｃの配列ピッチＰａ，Ｐｃは互いに同一であるとともに、突起１１ｂの配列ピッチＰｂは、配列ピッチＰａ，Ｐｃのそれぞれの１／２とされている。突起１１ｃのピッチ円径ＰDcは、突起１１ａのピッチ円径ＰDaの１／２であり、突起１１ｂのピッチ円径ＰDbは、ピッチ円径ＰDa，ＰDcの中間値である。モチーフ作成具１Ｃは、小サイズであるために、仮に、突起１１ｃの総数を突起１１ａ，１１ｂのそれぞれの総数と同一にしたのでは、突起１１ｃの配列ピッチＰｃが過小となって、各突起１１ｃに糸を掛ける作業が困難となる虞れがあるが、本実施形態の構成によれば、そのような不具合を回避することができる。また、突起１１ａ〜１１ｃのそれぞれの総数を本実施形態のような関係にすれば、これら突起１１ａ〜１１ｃどうしを適切に対応させることができ、これらに対して糸を一連に掛けていくときにこれら突起１１ａ〜１１ｃに余りを生じないようにすることができる。
【００２６】
図５〜図７によく表われているように、モチーフ作成具１Ｄ〜１Ｆは、基部１０ｄ〜１０ｆが中空の正方形または略正六角形状とされているとともに、複数の突起１１ｄ〜１１ｆは、一定間隔で正方形状または正六角形状に並ぶように設けられている。また、基部１０ｄ〜１０ｆの裏面には、たとえば計８つまたは計６つの凸部１２ｄ〜１２ｆがそれぞれ所定の配置態様で設けられている。基部１０ｄ〜１０ｆのサイズは、基部１０ｄの内側に基部１０ｅが配置可能であるとともに、基部１０ｅの内側には基部１０ｆがさらに配置可能な関係となっている。複数の突起１１ｆがかたち取る正方形の一辺の長さＳｆは、複数の突起１１ｄがかたち取る正方形の一辺の長さＳｄの１／２とされている。また、複数の突起１１ｅがかたち取る正六角形の一辺の長さＳｅと、上記の長さＳｆとは略同一とされている。複数の突起１１ｄ〜１１ｆのそれぞれの総数については、たとえば突起１１ｆの総数が、突起１１ｄの総数の１／２であるとともに、突起１１ｅの総数が突起１１ｄ，１１ｆのそれぞれの総数の中間値とされており、上記したモチーフ作成具１Ａ〜１Ｃと同様に、これら３つのモチーフ作成具１Ｄ〜１Ｆを組み合わせて使用するときには、複数の突起１１ｄ〜１１ｆができるだけ対応した関係となるように配慮されている。モチーフ作成具１Ｄは、図２に示したモチーフ作成具１Ａとの関係においては、たとえばこのモチーフ作成具１Ｄの基部１０ｄの縦横の幅Ｌｄは、モチーフ作成具１Ａの基部１０ａの外径Ｄａと略同一寸法である。また、モチーフ作成具１Ｄについての寸法Ｓｄとモチーフ作成具１Ａについてのピッチ円径ＰDaとは、同一とされている。
【００２７】
図８によく表われているように、モチーフ作成具１Ｇは、基部１０ｇが有底略円筒状に形成されているとともに、この基部１０ｇの中央部には、糸掛け用の突起１１ｇが起立して設けられたものである。このモチーフ作成具１Ｇは、糸掛け用の突起１１ｇが１本のみであるために、このモチーフ作成具１Ｇを単独で使用することによって所定のモチーフを作成することは困難であり、このモチーフ作成具１Ｇは、必ず他のモチーフ作成具１Ａ〜１Ｆと組み合わせて使用される。ただし、このモチーフ作成具１Ｇも、糸掛け用の突起を具備しており、かつこのことによりモチーフの作成に役立つため、本願発明でいうモチーフ作成具の概念に含まれる。このモチーフ作成具１Ｇは、後述するように、支持台２の中央部の貫通穴２０Ｇに嵌入されることにより、いわゆるセンタピンとしての役割を果たす。
【００２８】
支持台２は、モチーフ作成具１Ａ〜１Ｇを装着して固定するための土台となる部材であり、図１および図９によく表われているように、略矩形の輪郭形状を有している。この支持台２には、後述するように、複数の凹部や貫通穴が設けられている。図９においては、理解を容易にするため、支持台２の上向き面のうち、凹部または貫通穴とされていない部分にクロスハッチングを入れている。
【００２９】
図９および図１０によく表われているように、支持台２の中央部には、内周の壁に段部２１を有する円形状の貫通穴２０Ｇが設けられている。この貫通穴２０Ｇには、モチーフ作成具１Ｇの基部１０ｇが嵌入可能であり、この嵌入時には、段部２１の上面が基部１０ｇの底部に当接してストッパとしての役割を果たすようになっている。支持台２には、１または複数の第１ないし第５のアイランド部２２ａ〜２２ｅと、枠部２２ｆとが設けられており、これらによって第１および第２の凹部２３ａ，２３ｂが規定されている。より具体的には、第１および第４のアイランド部２２ａ，２２ｄのそれぞれは、貫通穴２０Ｇと同心の略円環状に形成されており、これら第１および第４のアイランド部２２ａ，２２ｄどうしの間に第２の凹部２３ｂが形成されている。第１の凹部２３ａは、第４のアイランド部２２ｄと枠部２２ｆとの間に形成されている。
【００３０】
図９の符号Ｎａ，Ｎｄで示す円形および正方形は、モチーフ作成具１Ａ，１Ｄの複数の突起１１ａ，１１ｄの配列形態をそれぞれ示しており、第１の凹部２３ａは、それら複数の突起１１ａ，１１ｄをそれぞれ個別に挿入配置可能な形状に形成されている。すなわち、たとえば図１１に示すように、モチーフ作成具１Ｄについては、複数の突起１１ｄを第１の凹部２３ａに挿入することにより、各突起１１ｄの先端が下向きとなった上下逆さまの姿勢で支持台２上に載置できるようになっている。このことは、モチーフ作成具１Ａについても同様である。複数の第５のアイランド部２２ｅは、第１の凹部２３ａにモチーフ作成具１Ａ，１Ｄの複数の突起１１ａ，１１ｄが挿入されたときに、これら複数の突起１１ａ，１１ｄを第４のアイランド部２２ｄとの間、または枠部２２ｆとの間において適度な力で挟み付ける役割を果たす。これにより、モチーフ作成具１Ａ，１Ｄを上下逆さまの状態で支持台２に取り付けたときには、これらのモチーフ作成具１Ａ，１Ｄが支持台２の上方に容易に浮き上がらないようになっている。
【００３１】
図９の符号Ｎｂ，Ｎｃ，Ｎｅ，Ｎｆで示す円形、六角形、および正方形は、モチーフ作成具１Ｂ，１Ｃ，１Ｅ，１Ｆの複数の突起１１ｂ，１１ｃ，１１ｅ，１１ｆの配列形態をそれぞれ示しており、第２の凹部２３ｂは、それら複数の突起１１ｂ，１１ｃ，１１ｅ，１１ｆを挿入可能な形状となっている。したがって、モチーフ作成具１Ｂ，１Ｃ，１Ｅ，１Ｆについては、それらの複数の突起を第２の凹部２３ｂに挿入することにより、上述したモチーフ作成具１Ａ，１Ｄと同様に、それら複数の突起の先端が下向きとなった上下逆さまの姿勢で支持台２上に載置できるようになっている。第１ないし第４のアイランド部２２ａ〜２２ｄは、第２の凹部２３ｂに複数の突起１１ｂ，１１ｃ，１１ｅ，１１ｆが挿入されたときにこれらの突起を適度な力で挟み付けることにより、モチーフ作成具１Ｂ，１Ｃ，１Ｅ，１Ｆが支持台２から容易に浮き上がることを防止する役割を果たす。
【００３２】
支持台２には、モチーフ作成具１Ａ〜１Ｅのそれぞれを正姿勢（各糸掛け用の突起の先端が上向きとなる姿勢）で装着するための複数の凹部２４ａ〜２４ｅも設けられている。複数の凹部２４ａは、モチーフ作成具１Ａの複数の凸部１２ａを係入させるための部分であり、第４および第５のアイランド部２２ｄ，２２ｅに複数の凸部１２ａに対応した配置態様に設けられている。複数の凹部２４ｂ，２４ｃは、モチーフ作成具１Ｂ，１Ｃの複数の凸部１２ｂ，１２ｃをそれぞれ係入させるための部分であり、各第２のアイランド部２２ｂまたは第１のアイランド部２２ａに複数の凸部１２ｂ，１２ｃに対応した配置態様に設けられている。複数の凹部２４ｄ，２４ｅは、モチーフ作成具１Ｄ，１Ｅの複数の凸部１２ｄ，１２ｅをそれぞれ係入させるための部分であり、第５のアイランド部２２ｅおよび枠部２２ｆの双方または第３のアイランド部２２ｃにそれら複数の凸部１２ｄ，１２ｅに対応した配置態様に設けられている。モチーフ作成具１Ｆの複数の凸部１２ｆについては、これら複数の凸部１２ｆが第２の凹部２３ｂに挿入されたときに、複数の第２のアイランド部２２ｂの側面に接触することによって、その位置決め保持がなされるように構成されている。
【００３３】
図１および図１０にその一つが表われているように、支持台２の計４つの外周側壁のそれぞれには、逆Ｖ字状の切欠部２９が設けられている。この切欠部２９は、後述するように、モチーフ作成に用いられる糸の端部を掛止するのに利用可能である。図９によく表われているように、支持台２の外周縁の上面部には、略Ｌ字状の計４つのリブ２５が設けられているとともに、これらリブ２５どうしの各間には、長矩形状の貫通穴２６が設けられている。これらのリブ２５および貫通穴２６は、後述するように、カバー体３を支持台２の上面部に位置決め装着するためのものである。
【００３４】
カバー体３は、たとえば透明な樹脂製であり、ドーム形状を有している。このカバー体３には、図１１によく表われているように、支持台２の貫通穴２６に挿通し、かつ支持台２の一部分に係脱自在な複数の係合用片３０が形成されている。これら複数の係合用片３０を利用することにより、カバー体３は支持台２の上面部を覆うようにして支持台２に着脱自在に装着可能である。その際、カバー体３の下端周縁部は複数のリブ２５を取り囲むようになっており、これによりカバー体３の確実な位置決めが図られるようになっている。カバー体３を支持台２に装着した場合、これらの内部には複数のモチーフ作成具１Ａ〜１Ｇの全てを収容できるようになっている。
【００３５】
次に、モチーフ作成セットＡの使用例ならびに作用について説明する。
【００３６】
モチーフを作成するには、図１２に示すように、支持台２上に、たとえばモチーフ作成具１Ａを装着する。この装着は、モチーフ作成具１Ａの裏面の各凸部１２ａを支持台２の各凹部２４ａに係入させことにより簡単に行なうことができる（図９参照）。各凸部１２ａと各凹部２４ａとの係入作用により、モチーフ作成具１Ａの位置決めが図られ、かつモチーフ作成具１Ａが支持台２から容易に浮き上がることも防止可能となる。
【００３７】
次いで、図１３に示すように、支持台２上には、たとえばモチーフ作成具１Ｂ，１Ｇをさらに装着する。モチーフ作成具１Ｂは、その裏面の各凸部１２ｂを支持台２の各凹部２３ｂに係入することにより、モチーフ作成具１Ａと同様に、支持台２上に安定させて簡単に装着することができる。モチーフ作成具１Ｇについても、貫通穴２０Ｇに嵌入することにより安定的かつ簡単に装着することができる。
【００３８】
上記したセッティングを行なうと、計３つのモチーフ作成具１Ａ，１Ｂ，１Ｇのそれぞれの突起１１ａ，１１ｂ，１１ｇに毛糸などの所望の糸を掛けていくことができ、これにより所望のモチーフを作成することができる。この場合、上記糸の終端を予め玉結びしておいてから、この玉結びされた部分を支持台２の切欠部２９に掛止させておく。このようにすれば、上記糸の終端が動かないように、わざわざユーザがこの糸の終端を指で押さえておく必要がなくなるので便利である。
【００３９】
図１２に示したように、１つのモチーフ作成具１Ａのみを支持台２上に装着した場合にも所定のモチーフを作成することが可能であるが、図１２の場合に比較して図１３に示したセッティング状態では、モチーフ作成具１Ｂ，１Ｇが付加されている分だけ、作成可能なモチーフのバリエーションを増やすことができる。また、モチーフ作成具１Ａを単独で使用することによっては作成することが難しい形態のモチーフを作成することも可能となる。
【００４０】
上記においては、モチーフ作成具１Ａ，１Ｂ，１Ｇの三者を組み合わせた場合を一例として説明したが、このモチーフ作成セットＡにおいては、計７つのモチーフ作成具１Ａ〜１Ｇのうちから２以上のモチーフ作成具を適当に選択し、かつこの選択されたモチーフ作成具を支持台２上に装着することにより、それらを組み合わせて使用することが可能である。したがって、モチーフ作成具１Ａ〜１Ｆをそれぞれ単独で使用する場合と比較すると、作成可能なモチーフのバリエーションを大幅に増やすことができる。
【００４１】
また、本実施形態においては、モチーフ作成具１Ａ〜１Ｆのそれぞれを単独で利用することによってモチーフを作成する場合であっても、次のように好都合な点がある。すなわち、たとえばモチーフ作成具１Ｄ，１Ｆを用いた場合には、正方形のモチーフが作成されるが、モチーフ作成具１Ｆを用いて作成されたモチーフの一辺の長さは、モチーフ作成具１Ｄを用いて作成されたモチーフのそれの１／２となる。したがって、これらのモチーフを２：１の枚数比率で繋げばよいこととなり、半端を生じないようにすることができる。同様に、モチーフ作成具１Ｅを用いて作成された正六角形のモチーフの一辺の長さは、モチーフ作成セット１Ｆを用いて作成されたモチーフの一辺の長さと略等しいために、やはりこれらを繋ぐ場合にも好都合となる。モチーフ作成具１Ａ〜１Ｃをそれぞれ単独で用いた場合には、たとえば花形状のモチーフが作成されるが、これらのサイズは互いに一定の関係にあり、またモチーフ作成具１Ａ，１Ｃを用いてそれぞれ作成されたモチーフの直径は、モチーフ作成具１Ｄ，１Ｆを用いて作成されたモチーフの一辺の長さと等しいなどの一定の関係にあるために、それらのモチーフを組み合わせるような場合にも好都合となる。
【００４２】
モチーフの作成に際しては、図１４に示すように、たとえばモチーフ作成具１Ａの複数の突起１１ａに糸Ｙａを掛け廻した後には、この糸Ｙａをかがり糸Ｙｂを利用してかがる必要がある。この場合、支持台２の貫通穴２０Ｇにモチーフ作成具１Ｇを装着することなく、この貫通穴２０Ｇを開口状態にしておくと、同図に示すように、かがり糸Ｙｂおよびかがり針５を貫通穴２０Ｇに通すことによって、これらを支持台２の上方と下方とに簡単に行き来させることができる。したがって、支持台２の貫通穴２０Ｇは、モチーフ作成具１Ｇの装着に役立つばかりではなく、モチーフ作成具１Ｇの装着に利用しない場合には、糸Ｙａのかがり作業を容易化するのにも役立つこととなる。
【００４３】
一方、図１４に示した糸Ｙａのかがり作業を行なう場合、かがり糸Ｙｂを上方に強い力で引っ張ると、糸Ｙａが複数の突起１１ａの上方に外れる虞れがある。これに対し、本実施形態においては、図１５に示すように、モチーフ作成具１Ａの複数の突起１１ａに糸Ｙａを掛け廻した後には、このモチーフ作成具１Ａを支持台２から一端取り外してから、その姿勢を上下反転させた姿勢で支持台２に再度取り付けることができる。この取り付けは、既述したとおり、各突起１１ａを支持台２の第１の凹部２３ａに挿入することにより行なうことができる。このように、モチーフ作成具１Ａを上下反転させた姿勢にすれば、糸Ｙａは基部１０ａと支持台２とによってその上下が挟まれた状態となり、かがり糸Ｙｂを上方および下方のいずれの方向に強く引っ張っても、これに起因して糸Ｙａが各突起１１ａから外れることはない。このモチーフ作成セットＡにおいては、モチーフ作成具を上下逆さまにして支持台２に装着することは、モチーフ作成具１Ａ以外のモチーフ作成具１Ｂ〜１Ｆについても行なうことが可能であるため、より便利となる。
【００４４】
このモチーフ作成セットＡは、未使用時においては、図１１に示したように、支持台２とカバー体３との間にモチーフ作成具１Ａ〜１Ｇの全てを収容することができ、それらを一纏めにすることができる。したがって、保管や携帯などに際しても便利となる。とくに、本実施形態においては、モチーフ作成具１Ｄ〜１Ｆについては、それらの突起１１ｄ〜１１ｆを支持台２の第１および第２の凹部２３ａ，２３ｂに収容することにより、これらが互いに上下に重ならないようにしつつ、これらの上にはモチーフ作成具１Ａ〜１Ｃどうしをやはり互いに上下に重ならない状態で載置することができる。さらに、モチーフ作成具１Ｇについては、他のモチーフ作成具１Ａ〜１Ｆとの干渉を避けるようにして、支持台２の中央部に配置させることができる。したがって、モチーフ作成具１Ａ〜１Ｆの全体をスペース効率良く配置して、支持台２にカバー体３を装着した際の全体のサイズを縮小化するのにも好適となる。
【００４５】
本願発明の内容は、上述した実施形態に限定されない。本願発明に係るモチーフ作成セットの各部の具体的な構成は、種々に設計変更自在である。
【００４６】
本願発明においては、モチーフ作成具は、要は、２以上あればよく、その具体的な総数は限定されるものではない。モチーフ作成具の突起の本数や、基部の具体的な形状などは限定されるものではない。モチーフ作成具の突起と基部とを樹脂によって一体成形すれば、低コスト化を図る上で好ましいが、これとは異なり、たとえば基部に対して複数のピンを着脱自在に装着できるようにし、かつ基部に装着されたピンを糸掛け用の突起として利用する構成のモチーフ作成具を用いることもできる。また、支持台は、要は、少なくとも２つのモチーフ作成具を同時に装着できるように構成されていればよく、モチーフ作成具を着脱自在に装着するための具体的な手段もとくに限定されるものではない。
【図面の簡単な説明】
【図１】本願発明に係るモチーフ作成セットの一実施形態を示す斜視図である。
【図２】（ａ）は、図１に示すモチーフ作成セットを構成するモチーフ作成具の一例を示す平面図であり、（ｂ）は、（ａ）のII−II断面図である。
【図３】（ａ）は、図１に示すモチーフ作成セットを構成するモチーフ作成具の他の例を示す平面図であり、（ｂ）は、（ａ）のIII −III 断面図である。
【図４】（ａ）は、図１に示すモチーフ作成セットを構成するモチーフ作成具の他の例を示す平面図であり、（ｂ）は、（ａ）のIV−IV断面図である。
【図５】（ａ）は、図１に示すモチーフ作成セットを構成するモチーフ作成具の他の例を示す平面図であり、（ｂ）は、（ａ）のＶ−Ｖ断面図である。
【図６】（ａ）は、図１に示すモチーフ作成セットを構成するモチーフ作成具の他の例を示す平面図であり、（ｂ）は、（ａ）のVI−VI断面図である。
【図７】（ａ）は、図１に示すモチーフ作成セットを構成するモチーフ作成具の他の例を示す平面図であり、（ｂ）は、（ａ）のVII −VII 断面図である。
【図８】図１に示すモチーフ作成セットを構成するモチーフ作成具の他の例を示す断面図である。
【図９】図１に示すモチーフ作成セットを構成する支持台の一例を示す平面図である。
【図１０】図９のＸ−Ｘ断面図である。
【図１１】図１に示すモチーフ作成セットを一纏めに組み合わせた状態を示す断面図である。
【図１２】図１に示すモチーフ作成セットの使用状態を示す斜視図である。
【図１３】図１に示すモチーフ作成セットの使用状態を示す斜視図である。
【図１４】図１に示すモチーフ作成セットの使用状態を示す断面図である。
【図１５】図１に示すモチーフ作成セットの使用状態を示す断面図である。
【図１６】従来技術の一例を示す斜視図である。
【図１７】（ａ），（ｂ）は、モチーフ作成手順を示す説明図である。
【符号の説明】
Ａ  モチーフ作成セット
１Ａ〜１Ｇ  モチーフ作成具
２  支持台
３  カバー体
１０ａ〜１０ｇ  基部
１１ａ〜１１ｇ  突起（糸掛け用の）
１２ａ〜１２ｆ  凸部
２０Ｇ  貫通穴
２３ａ  第１の凹部
２３ｂ  第２の凹部
２４ａ〜２４ｅ  凹部
【図１】
0004740472.tif 000002
【図２】
0004740472.tif 000003
【図３】
0004740472.tif 000004
【図４】
0004740472.tif 000005
【図５】
0004740472.tif 000006
【図６】
0004740472.tif 000007
【図７】
0004740472.tif 000008
【図８】
0004740472.tif 000009
【図９】
0004740472.tif 000010
【図１０】
0004740472.tif 000011
【図１１】
0004740472.tif 000012
【図１２】
0004740472.tif 000013
【図１３】
0004740472.tif 000014
【図１４】
0004740472.tif 000015
【図１５】
0004740472.tif 000016
【図１６】
0004740472.tif 000017
【図１７】
0004740472.tif 000018